(57)【特許請求の範囲】
【請求項１】
刀身部と柄部とからなるナイフの前記刀身部を挿抜可能なプラスチック製の鞘部の開口端の近傍に前記ナイフの脱落防止用のストッパー手段を備えたナイフ保持具において、
前記ストッパー手段が、前記刀身部と前記柄部との境界近傍における前記柄部の少なくとも一側に設けた係合突起と、
前記鞘部の開口端部に設けてあって前記係合突起に対して弾性変形かつ係脱可能な係合片と、
前記係合片を前記係合突起に対し動作させる操作用スライダーとからなり、
前記係合突起が、前記一側を上面としたとき前記刀身部から前記柄部の方向へ上がり勾配に形成したスライド斜面と、前記スライド斜面の最も高い部位に位置する係合端とを有し、
前記係合片が、前記鞘部の少なくとも一側において前記開口端部からその対向端である底部の方向へ延びていて前記鞘部の横方向に対向離間する２条のスリットで画成するとともに、前記開口端部から前記柄部の方向へ突出して前記スライド斜面を弾性変形しながらスライドして前記係合端と係合する環状係合部を有し、
前記操作用スライダーが、前記係合片にスライド可能に嵌合し、操作者の手を当接する上面部と、前記係合突起の方向へスライドし前記係合片の環状係合部を前記係合片の弾性に抗して浮き上がる外方向へ動作させる下面部とを有し、前記下面部に前記鞘部の幅方向へと延びるフランジを設けるとともに、前記開口端近傍から前記スリットへかけて前記フランジと当接する突出部を前記鞘部の内壁に設けたことを特徴とするナイフ保持具。
【発明の詳細な説明】
【０００１】
【発明の属する技術分野】
本発明は、携帯ナイフに係り、特に潜水用携帯ナイフの保持具に関する。
【０００２】
【従来の技術】
特公昭５５−１３７５９号公報に開示されたナイフ保持具は、ナイフの鍔部上面を押さえるように係止するストッパーと、ダイバーがナイフを鞘部から抜脱する際に係止状態を解除すべく引っ張るための摘持部とを有している。この摘持部は、引っ張ることが容易なように鞘部から側方へ突出した状態にある。
【０００３】
特開平２−２６８７９３号公報に開示されたナイフ保持具は、鞘部のナイフ挿入用開口端に、挿入したナイフの鍔裏に当接可能な一対のＬ字型弾性アームを有する。これらアームの端縁を押圧すると、アームは弾性変形して鍔裏から外れ、ナイフの抜き取りが可能になる。
【０００４】
【発明が解決しようとする課題】
特公昭５５−１３７５９号公報に記載のナイフ保持具の突出した摘持部は、ダイバーにとって危険でないまでも邪魔になることがある。ダイバーの携帯品では、そうした突出部を極力少なくすることが好ましい。
【０００５】
また、特開平２−２６８７９３号公報に記載のナイフ保持具では、一対の弾性アームを二本の指で操作しなければならない。この場合、ナイフを急いで抜き取るには、二本の指がアームを素早く的確にとらえなければならないが、それには思いのほか手間がかかる。
【０００６】
さらに、ストッパーを直接ワンタッチ操作で係脱させる方式であるため、柄に物が衝突したり引っかかるとナイフが鞘部から落下する場合がある。
【０００７】
そこで、本発明は、ストッパー（係合片）を有するナイフ保持具において、保持具の表面に不必要な突出物を形成することなく、ストッパーの速やかな操作を可能にするとともに、ナイフの柄に物が当たってもナイフが鞘部から抜け落ちないことを課題にする。
【０００８】
【課題を解決するための手段】
本発明は、前述した課題を解決するために、以下の手段を採用した。
【０００９】
すなわち、本発明に係るナイフ保持具は、刀身部と柄部とからなるナイフの前記刀身部を挿抜可能なプラスチック製の鞘部の開口端の近傍に前記ナイフの脱落防止用のストッパー手段を備えている。
【００１０】
そして、前記ストッパー手段が、前記刀身部と前記柄部との境界近傍における前記柄部の少なくとも一側に設けた係合突起と、前記鞘部の開口端部に設けてあって前記係合突起に対して弾性変形かつ係脱可能な係合片と、前記係合片を前記係合突起に対し動作させる操作用スライダーとからなり、前記係合突起が、前記一側を上面としたとき前記刀身部から前記柄部の方向へ上がり勾配に形成したスライド斜面と、前記スライド斜面の最も高い部位に位置する係合端とを有し、前記係合片が、前記鞘部の少なくとも一側において前記開口端部からその対向端である底部の方向へ延びていて前記鞘部の横方向に対向離間する２条のスリットで画成するとともに、前記開口端部から前記柄部の方向へ突出して前記スライド斜面を弾性変形しながらスライドして前記係合端と係合する環状係合部を有し、前記操作用スライダーが、前記係合片にスライド可能に嵌合し、操作者の手を当接する上面部と、前記係合突起の方向へスライドし前記係合片の環状係合部を前記係合片の弾性に抗して浮き上がる外方向へ動作させる下面部とを有し、前記下面部に前記鞘部の幅方向へと延びるフランジを設けるとともに、前記開口端近傍から前記スリットへかけて前記フランジと当接する突出部を前記鞘部の内壁に設ける構成である。
【００１２】
【発明の実施の形態】
以下、本実施の形態に係るナイフ保持具２を図１〜図５に基づいて具体的に説明する。図１及び２は、ナイフ１が挿入されたナイフ保持具２の正面図と裏面図であって、図１は、ナイフ１が挿入途中（または抜き取り途中）にあり、図２は、ナイフ１が完全に挿入された状態にある。
【００１３】
ナイフ１は、金属製の刀身部３とプラスチック製の柄４からなり、柄４の正面及び裏面側の端部には、刀身部３の近傍にナイフ保持具２に対して係合可能な係合突起５，５が位置し、刀身部３が完全に挿入されたときにナイフ保持具２と係合突起５，５が係合しナイフ１の抜脱を阻止する。
【００１４】
ナイフ保持具２は、刀身部３が挿入される鞘部６と、この鞘部６と一体をなす係合片７とを有する。鞘部６には、ナイフ挿入用開口端部８と、その反対端部９とを有し、反対端部９には、水抜きのための孔１０とナイフ保持具２を吊持するためのスナップスイーベル挿通用の孔１１が形成されている。
【００１５】
鞘部６の裏面側には、この鞘部６をダイバーのベルトに直接掛け止めるときに用いる金属製フック部材１２が取り付けられている。したがって、ナイフ保持具２は、このフック部材１２または後述するスナップスイーベル２０を用いて、ナイフ１が下方へ抜けるように、つまり、反対端部９が上向きになり、開口端部８が下向きになるようにダイバーの着衣に取り付けられる。
【００１６】
係合突起５，５は、柄４の刀身部３側近傍の両側壁に対称形にそれぞれ設け、スライド斜面５ａ，５ａが刀身部３側から柄４側へ上向きまたは下向きに傾斜し、柄４と一体をなして刀身部３側へ若干突出している。このように係合突起５，５は、両側壁に対称形に設けられているので、鞘部６に対するナイフ１の挿入面が限定されない。係合突起５，５は、スライド斜面５ａの最も高い係合端５ｂが係合片７から突出することがないように高さが調節されている。
【００１７】
係合片７は、鞘部６の正面として図示した側壁から延出して形成し、鞘部６の開口端近傍にナイフ１の係合突起５，５が係合可能な大きさを有する開孔からなる環状係合部１３を画成している。開口端部８から鞘部６のナイフ１の挿入方向へ延びる２本のスリット１４，１４を設け、これらスリット１４，１４によって係合片７が画成されて板バネの作用を有し、その弾性力によって係合片７が係合突起５，５の係脱方向へ撓む。
【００１８】
係合片７には、係合片７にスライド可能な中空部１５ｂを有する操作用スライダー１５を嵌合してあり、操作用スライダー１５は、ナイフ１の挿入及び抜脱の両方向へ係合片７上をスライド可能である。係合片７には、操作用スライダー１５をナイフ１の抜脱方向へスライドさせた場合、操作用スライダー１５が係合片７から抜け落ちることがないように突起７ａを設けている。
【００１９】
ナイフ１を鞘部６に係合させる場合は、ナイフ１を鞘部６に挿入すると、鞘部６の開口端部８に位置する係合片７の底面に係合突起５，５のスライド斜面５ａ，５ａが摺接し、このスライド斜面５ａ，５ａの傾斜に沿って係合片７がその弾性力に抗して柄４から離間する方向へと徐々に持ち上げられ、係合突起５，５を乗り越えて係合突起５，５が環状係合部１３に入り込むと係合片７がその弾性力で係合方向に復帰する。この状態でナイフ１は、鞘部６の係合片７に支持されるとともに、環状係合部１３の一部分が柄４に左右から囲まれるように収納される。
【００２０】
図３は、図１のＩ−Ｉ線要部断面図であり、ナイフ１は、鞘部６に完全に挿入された状態である。ナイフ１を鞘部６から抜き取る場合は、操作者が操作用スライダー１５の上面部１５ａに指を当て、操作用スライダー１５をナイフ１の抜脱方向Ａへスライドさせる。すると操作用スライダー１５の下面部１５ｃが係合突起５，５のスライド斜面５ａ，５ａと摺接し、係合突起５，５の傾斜に伴って操作用スライダー１５に支持されるように係合片７が柄４から離間する方向Ｂに持ち上げられる。操作用スライダー１５が係合突起５，５のスライド斜面５ａの最も高い係合端１５ｂに至ると係合片７と係合突起５，５の係合が解除される。
【００２１】
なお、操作用スライダー１５の下面部１５ｃは、係合突起５，５のスライド斜面５ａ，５ａの傾斜に合わせるように底部から上部に向けて傾斜させている。これにより操作用スライダー１５の下面部１５ｃと係合突起５，５のスライド斜面５ａ，５ａとのスライドを容易にする。
【００２２】
係合片７は、常に係合方向へ復帰しようとするので、係合片７が持ち上げられる過程で操作用スライダー１５とスライド斜面５ａ，５ａとの接触力が徐々に強くなり、この接触力によってナイフ１が抜脱方向へ押し出される。ナイフ１が押し出された後は、係合片７が係合方向に完全に復帰し、ナイフ１を鞘部６から抜脱させることができる。
【００２３】
図４は、図１のＩＩ−ＩＩ線要部断面図であり、操作用スライダー１５は、下面部１５ｃに鞘部６の幅方向へと延びるフランジ１５ｄ，１５ｄを設けるとともに、鞘部６の内壁には、開口端部８からスリット１４，１４にかけての所定の範囲にフランジ１５ｄ，１５ｄと当接する突出部１６，１６をフランジ１５ｄ，１５ｄに向けて設けている。これにより、係合片７と係合突起５，５が係合した場合、たとえ柄４に物が衝突して衝撃が加えられても、フランジ１５ｄ，１５ｄと突出部１６，１６とで係合片７の係脱方向への撓みを押さえる。
【００２４】
図５は、図１の部分側面図であって、鞘部６の裏面に取り付けられたフック部材１２を示す。フック部材１２は、汎用のものであってバネ片２１の内側にダイバーのベルトが挿入される。ナイフ保持具２は、フック部材１２に替えて仮想線で示したスナップスイーベル２０を用いてダイバーの装具に取り付けることもできる。
【００２５】
【発明の効果】
本発明に係るナイフ保持具によれば、係合片に挿入した操作用スライダーのスライド斜面が鞘部の外壁とともに滑らかな面を形成し、ナイフの係合突起も係合片から突出することがなく、保持具の正面全体を滑らかに形成することができる。また、操作用スライダーは、指一本で操作することが可能であり、急いでナイフを抜き取りたいときも手間取ることがない。さらに、物が柄に当たったり引っかかっても弾みでナイフが柄から抜け落ちることがない。
【図面の簡単な説明】
【図１】ナイフが挿入途中であるナイフ保持具の正面図。
【図２】ナイフが挿入された状態のナイフ保持具の裏面図。
【図３】図１のＩ−Ｉ線要部断面図。
【図４】図１のＩＩ−ＩＩ線要部断面図。
【図５】図１の部分側面図。
【符号の説明】
１      ナイフ
２      ナイフ保持具
３      刀身部
４      柄
５      係合突起
５ａ      スライド斜面
５ｂ      係合端
６      鞘部
７      係合片
１３      環状係合部
１４      スリット
１５      操作用スライダー
１５ａ      上面部
１５ｃ      下面部
１５ｄ      フランジ
１６      突出部
【図１】
0003807830.tif 000002
【図２】
0003807830.tif 000003
【図３】
0003807830.tif 000004
【図４】
0003807830.tif 000005
【図５】
0003807830.tif 000006